(57)【要約】      （修正有）【課題】使用開始にあたって、測定現場に測定対象の標準物質が無くても、簡単に校正が可能である方法及び装置を提供する。【解決手段】化学分析装置の校正方法は、気体又は液体の測定対象物質の濃度を側定する化学分析装置３０に交換可能な検出器２０を基準装置１０に接続し、予め気体又は液体の複数の濃度が判明している基準対象物質に接触させ、基準対象物質の検出値と基準対象物質の濃度値から基準検量線を得て、この基準検量線の単位濃度当たりの基準勾配係数を求め、予め基準装置１０に記憶させてある理論検量線の単位濃度当たりの理論勾配係数と等しくなるように補正する補正係数を算出し、この算出した補正係数を検出器２０に記録する。【選択図】図１
2014025854.tif 000002
【特許請求の範囲】
【請求項１】
気体又は液体の測定対象物質の濃度を側定する化学分析装置に交換可能な検出器を基準装置に接続し、
予め気体又は液体の複数の濃度が判明している基準対象物質に接触させ、基準対象物質の検出値と基準対象物質の濃度値から基準検量線を得て、この基準検量線の単位濃度当たりの基準勾配係数を求め、
予め前記基準装置に記憶させてある理論検量線の単位濃度当たりの理論勾配係数と等しくなるように補正する補正係数を算出し、
この算出した補正係数を前記検出器に記録することを特徴とする化学分析装置の校正方法。
【請求項２】
前記補正係数が記録された前記検出器を化学分析装置に接続し、
前記化学分析装置に前記検出器に記録された補正係数を入力することを特徴とする請求項１に記載の化学分析装置の校正方法。
【請求項３】
前記化学分析装置は、気体又は液体の測定対象物質を含まない大気中にてゼロ点校正を行った後、
前記化学分析装置に前記検出器に記録されている補正係数を入力することを特徴とする請求項２に記載の化学分析装置の校正方法。
【請求項４】
前記測定対象物質が、少なくとも酸素、水素、オゾン、硫化水素、アルシン、ホスフィンのいずれかであることを特徴とする請求項１乃至請求項３のいずれか１項に記載の化学分析装置の校正方法。
【請求項５】
気体又は液体の測定対象物質の濃度に比例して検出値が変化する検出器と、
前記検出器からの検出値に基づき前記測定対象物質の濃度値を得る演算部と、
請求項１乃至請求項４のいずれか１項に記載の化学分析装置の校正方法により得られる補正係数を入力する補正係数入力部と、を有し、
前記検出器からの検出値を前記補正係数により校正して前記測定対象物質の濃度値を得ることを特徴とする化学分析装置。
【請求項６】
前記測定対象物質を含まない大気中にて前記検出器のゼロ点校正を行うゼロ点校正部を有することを特徴とする請求項５に記載の化学分析装置。
【請求項７】
前記測定対象物質が、少なくとも酸素、水素、オゾン、硫化水素、アルシン、ホスフィンのいずれかであることを特徴とする請求項５または請求項６に記載の化学分析装置。
【発明の詳細な説明】
【技術分野】
【０００１】
この発明は、気体又は液体の測定対象物質の濃度を検出する化学分析装置の校正方法及び化学分析装置に関する。
【背景技術】
【０００２】
従来、化学分析装置において、検出部によって測定対象物質の濃度の測定が行われているが、濃度を測定する検出部は取り付けた化学分析装置毎に測定精度にばらつきがあるために、装置の校正を行う必要がある。  
【０００３】
このような化学分析装置において装置の校正を行う場合には、実際に濃度の判明している測定対象物質を使用して濃度を測定して校正するか、または別の分析方法で測定対象物質の濃度を確認し装置の表示をその値に合わせるというのが一般的である。また、例えば、模擬電流を印加し等価入力で校正する残留塩素計が知られている（特許文献１）。
【先行技術文献】
【特許文献】
【０００４】
【特許文献１】特開平９−２８８０８３号公報
【発明の概要】
【発明が解決しようとする課題】
【０００５】
しかしながら、実際に濃度を測定して校正する方法では、測定対象物質の種類によっては不安定で、高圧容器詰めのガスが無かったり、また別の分析方法で濃度確認をするにしても、測定機材を現場に搬入するのは困難な場合が多い。また、模擬電流を印加し等価入力で校正するものでは、回路構成が複雑である。
【０００６】
この発明は、かかる点に鑑みてなされたもので、使用開始にあたって、測定現場に測定対象の標準物質が無くても、簡単に校正が可能な化学分析装置の校正方法及び化学分析装置を提供することを目的とする。
【課題を解決するための手段】
【０００７】
前記課題を解決し、かつ目的を達成するために、この発明は、以下のように構成した。
【０００８】
請求項１に記載の発明は、気体又は液体の測定対象物質の濃度を側定する化学分析装置に交換可能な検出器を基準装置に接続し、予め気体又は液体の複数の濃度が判明している基準対象物質に接触させ、基準対象物質の検出値と基準対象物質の濃度値から基準検量線を得て、この基準検量線の単位濃度当たりの基準勾配係数を求め、
予め前記基準装置に記憶させてある理論検量線の単位濃度当たりの理論勾配係数と等しくなるように補正する補正係数を算出し、
この算出した補正係数を前記検出器に記録することを特徴とする化学分析装置の校正方法である。
【０００９】
請求項２に記載の発明は、前記補正係数が記録された前記検出器を化学分析装置に接続し、
前記化学分析装置に前記検出器に記録された補正係数を入力することを特徴とする請求項１に記載の化学分析装置の校正方法である。
【００１０】
請求項３に記載の発明は、前記化学分析装置は、気体又は液体の測定対象物質を含まない大気中にてゼロ点校正を行った後、
前記化学分析装置に前記検出器に記録されている補正係数を入力することを特徴とする請求項２に記載の化学分析装置の校正方法である。
【００１１】
請求項４に記載の発明は、前記測定対象物質が、少なくとも酸素、水素、オゾン、硫化水素、アルシン、ホスフィンのいずれかであることを特徴とする請求項１乃至請求項３のいずれか１項に記載の化学分析装置の校正方法である。
【００１２】
請求項５に記載の発明は、気体又は液体の測定対象物質の濃度に比例して検出値が変化する検出器と、  前記検出器からの検出値に基づき前記測定対象物質の濃度値を得る演算部と、
請求項１乃至請求項４のいずれか１項に記載の化学分析装置の校正方法により得られる補正係数を入力する補正係数入力部と、を有し、
前記検出器からの検出値を前記補正係数により校正して前記測定対象物質の濃度値を得ることを特徴とする化学分析装置である。
【００１３】
請求項６に記載の発明は、前記測定対象物質を含まない大気中にて前記検出器のゼロ点校正を行うゼロ点校正部を有することを特徴とする請求項５に記載の化学分析装置である。
【００１４】
請求項７に記載の発明は、前記測定対象物質が、少なくとも酸素、水素、オゾン、硫化水素、アルシン、ホスフィンのいずれかであることを特徴とする請求項５または請求項６に記載の化学分析装置である。
【発明の効果】
【００１５】
前記構成により、この発明は、以下のような効果を有する。
【００１６】
請求項１乃至請求項７に記載の発明では、気体又は液体の測定対象物質の濃度を側定する化学分析装置に交換可能な検出器を基準装置に接続し、予め気体又は液体の複数の濃度が判明している基準対象物質の基準検量線の単位濃度当たりの基準勾配係数を求め、予め基準装置に記憶させてある理論検量線の単位濃度当たりの理論勾配係数と等しくなるように補正する補正係数を算出し、この算出した補正係数を検出器に記録することで、補正係数が記録された検出器を測定する化学分析装置に接続し、化学分析装置に検出器に記録された補正係数を入力することができ、測定対象物質の種類に関係なく安定で、測定機材を測定現場に搬入することなく、簡単に校正が可能である。
【図面の簡単な説明】
【００１７】
【図１】化学分析装置の校正方法を説明する概略図である。
【図２】基準装置の概略構成図である。
【図３】化学分析装置の校正方法を説明する工程図である。
【図４】基準勾配係数を求める方法を示す図である。
【図５】補正係数を算出する方法を示す図である。
【図６】測定対象物質の検量線を示す図である。
【図７】化学分析装置の正面図である。
【図８】化学分析装置の側面図である。
【図９】化学分析装置の構成ブロック図である。
【発明を実施するための形態】
【００１８】
以下、この発明の化学分析装置の校正方法及び化学分析装置の実施の形態について説明する。この発明の実施の形態は、発明の最も好ましい形態を示すものであり、この発明はこれに限定されない。
【００１９】
［化学分析装置の校正方法］
この実施の形態の化学分析装置の校正方法を、図１乃至図４に基づいて説明する。図１は化学分析装置の校正方法を説明する概略図、図２は基準装置の概略構成図、図３は化学分析装置の校正方法を説明する工程図、図４は基準勾配係数を求める方法を示す図、図５は補正係数を算出する方法を示す図、図６は測定対象物質の検量線を示す図である。    
【００２０】
この化学分析装置の校正方法の概略構成を、図１に基づき説明する。メーカー側にある基準装置１０を用いる。この基準装置１０は、基準オゾンガス発生装置１１、検出器２０を設置するチャンバー１２、検出器２０の検出出力を測定するデータロガー１３、データロガー１３からのデータに基づき補正係数を得る処理装置１４を備える。この処理装置１４は、データロガー１３からのデータを直接得るようにしても、一旦記録して記録装置から得るようにしてもよい。
【００２１】
ユーザー側に出荷する交換可能な検出器２０をチャンバー１２に設置して、基準オゾンガス発生装置１１から発生する基準ガスを検出器２０に接触させて各濃度での検出器２０の検出出力をデータロガー１３により記録する。処理装置１４では、データロガー１３により記録した検出器２０の固有の出力と濃度の検量線により、理論検量線の単位濃度当たりの理論勾配係数と等しくなるように補正する補正係数を算出する。
【００２２】
この処理装置１４で得られた補正係数をシール２０ａなどにより検出器２０に記録し、この補正係数が記録された検出器２０をユーザー側に備えた化学分析装置３０に接続し、この化学分析装置３０に検出器２０に記録された補正係数を入力する。このようにして、測定対象物質の種類に関係なく安定で、測定機材を測定現場に搬入することなく、簡単に校正を可能にする。
【００２３】
この処理装置１４の構成を、図２に基づき説明する。この実施の形態の処理装置１４は、検出情報入力手段Ａ、基準検量線作成手段Ｂ、基準勾配係数算出手段Ｃ、理論勾配係数記憶手段Ｄ、補正係数算出手段Ｅを有し、マイクロコンピュータにより構成される。
【００２４】
この化学分析装置の校正方法の工程を、図３に基づき説明する。メーカー側において、交換可能な検出器２０を基準装置１０に接続し（Ｓ１）、この検出器２０に予め気体又は液体の複数の濃度が判明している基準対象物質を接触させる（Ｓ２）。この検出器２０の濃度検出情報が検出情報入力手段Ａにより入力され、基準検量線作成手段Ｂにより基準対象物質の検出値と基準対象物質の濃度値から基準検量線を得て、基準勾配係数算出手段Ｃにより基準検量線の単位濃度当たりの基準勾配係数を求める（Ｓ３）。次に、予め理論勾配係数記憶手段Ｄに記憶させてある理論検量線の単位濃度当たりの理論勾配係数と等しくなるように、補正係数算出手段Ｅにより補正する補正係数を算出する（Ｓ４）。
【００２５】
この基準勾配係数を求める方法を、図４に基づいて説明する。この実施の形態では、交換可能な検出器２０として電気化学センサを用い、基準装置１０に検出器２０接続し、予め気体又は液体の複数の濃度が判明している基準対象物質を接触させ、基準対象物質の濃度のフルスケールの約１００％、８０％、４０％、０％で検出した電流を電圧に変換した出力電圧を測定する。得られた出力電圧と濃度による基準検量線を作成し、基準検量線の傾き即ち単位濃度当たりの基準勾配係数ｂ（ｙ＝ｂＸ    ｙ：濃度  Ｘ：出力電圧）を求める。
【００２６】
次に、補正係数を算出する方法を、図５に基づいて説明する。予め理論勾配係数記憶手段Ｄに記憶させてある理論検量線の単位濃度当たりの理論勾配係数ａ（ｙ＝ａＸ    ｙ：濃度  Ｘ：出力電圧）と等しくなるよう補整係数Ｆ（ａ＝ｂＦ）を算出する。理論勾配係数は電気回路設計時に決めた係数である。この実施の形態では、回路の常数計算等によりａとしているが、回路設計時にａ’なるように設計することも可能である。図５においては、検出器１と検出器２として、予め理論勾配係数記憶手段Ｄに記憶させてある理論検量線の単位濃度当たりの理論勾配係数と等しくなるように補正する補正係数を算出する例を示している。
【００２７】
この算出した補正係数を検出器２０に記録する（Ｓ５）。この検出器２０の方法としては、次の方法がある。例えば、シール２０ａに補正係数を記載し、このシール２０ａを検出器２０に貼り付ける。また、検出器２０に補正係数を直接印字する、または刻印するなどがある。また、検出器２０の取扱書に記載する方法でもよい。
【００２８】
この補正係数が記録された検出器２０は、メーカー側からユーザー側へ出荷され、ユーザー側では補正係数が記録された検出器２０を化学分析装置３０に接続する（Ｓ６）。この化学分析装置３０では、測定開始に当たっては、気体又は液体の測定対象物質を含まない大気中にてゼロ点校正を行った後（Ｓ７）、化学分析装置３０に検出器２０に記録されている補正係数を入力する（Ｓ８）。このようにして、測定場所に、濃度の判明したスパン校正物質がなくても、装置校正が可能である。
【００２９】
この実施の形態の化学分析装置３０は、測定対象物質が、少なくとも酸素、水素、オゾン、硫化水素、アルシン、ホスフィンのいずれかであり、図６に酸素、水素、オゾンについての検出値と濃度値から検量線を示す。
【００３０】
［化学分析装置］
この実施の形態の化学分析装置３０を、図７乃至図９に基づいて説明する。図７は化学分析装置の正面図、図８は化学分析装置の側面図、図９は化学分析装置の構成ブロック図である。
【００３１】
この実施の形態の化学分析装置３０は、装置本体３１に、電源スイッチ３２、操作部３３、表示部３４を備え、この装置本体３１に検出器２０が着脱可能になっている。この検出器２０は、メーカー側から出荷されて補正係数が記録されたものであり、気体又は液体の測定対象物質の濃度に比例して検出値が変化するように構成される。この測定対象物質が、少なくとも酸素、水素、オゾン、硫化水素、アルシン、ホスフィンのいずれかである。
【００３２】
操作部３３には、ゼロダイヤル３３ａ、スパンダイヤル３３ｂ、アラームダイヤル３３ｃ、テストダイヤル３３ｄ、モード切替スイッチ３３ｄが設けられている。モード切替スイッチ３３ｄは、「ＭＥＳ」表示に合わせ、測定が行われ、「ＡＬＭ」表示に合わせ、アラームダイヤル３３ｃを操作して濃度警報する数値が入力され、「ＦＡＤＪ」表示に合わせ、ゼロダイヤル３３ａを操作してゼロ点校正値が入力され、スパンダイヤル３３ｂを操作して補正係数が入力される。
【００３３】
表示部３４には、測定対象物質の濃度値を表示する表示部３４ａ、測定信号の出力示す表示部３４ｂ、測定の濃度を警報する表示部３４ｃが設けられている。
【００３４】
この装置本体３１には、制御装置６０が備えられ、この制御装置６０はアナログ回路で構成され、演算部６１と、ゼロ点校正部６２と、補正係数記憶部６３とを有し、電源スイッチ３２により駆動電源が入り、操作部３３からの信号に基づき検出器２０により測定対象物質の濃度を測定し、表示部３４に表示するように制御する。
【００３５】
演算部６１は、検出器２０からの検出値に基づき測定対象物質の濃度値を得るように構成され、ゼロ点校正部６２では、測定対象物質を含まない大気中にて検出器２０のゼロ点校正を行い、補正係数記憶部６３に化学分析装置の校正方法により得られる補正係数を記憶し、検出器２０からの検出値を校正して測定対象物質の濃度値を得る。
【００３６】
この実施の形態では、複数の濃度の判明しているオソンガスに電気化学センサを接触させ、その出力電圧を測定し、得られた出力電圧とオソンガスの濃度から基準検量線を作成し、この基準検量線の傾き即ち１ｐｐｍあたりの基準勾配係数ｂ（ｙ＝ｂＸ  ｙ：濃度  Ｘ：出力電圧）が予め記憶されている理論勾配係数ａ（ｙ＝ａＸ）と等しくなるよう補正係数Ｆ（ａ＝Ｆｂ）値を算出し、電気化学センサに記録してある。
【００３７】
測定開始にあたっては、化学分析装置に電気化学センサを接続し、測定対象物質を含まない雰囲気中にてゼロ点校正を行った後、化学分析装置に、電気化学センサに記録されている補正係数Ｆ値を電気的に入力することにより、測定現場に標準対象物質が無くても、校正が可能となる。
【００３８】
オソンガスは、例えば食品工場での室内殺菌に使用されており、その濃度管理にオソンガスモニタが使用されるが、通常のオソンガスモニタであれば、校正時標準ガスを使用することとなるが、オゾンは不安定で濃度の安定なガスを長時間供給するのが難しく問題があったが、この発明では、スタートアップ時での校正にオソンガスを必要とせず、操作も簡単であることから特別に化学知識のある者でなくても容易に操作が可能である。
【産業上の利用可能性】
【００３９】
この発明は、気体又は液体の測定対象物質の濃度を検出する化学分析装置の校正方法及び化学分析装置に適用可能であり、使用開始にあたって、測定現場に測定対象の標準物質が無くても、簡単に校正が可能である。
【符号の説明】
【００４０】
１０  基準装置
１１  基準オゾンガス発生装置
１２  チャンバー
１３  データロガー
１４  処理装置
２０  検出器
３０  化学分析装置
Ａ  検出情報入力手段
Ｂ  基準検量線作成手段
Ｃ  基準勾配係数算出手段
Ｄ  理論勾配係数記憶手段
Ｅ  補正係数算出手段
【図１】
2014025854.tif 000003
【図２】
2014025854.tif 000004
【図３】
2014025854.tif 000005
【図４】
2014025854.tif 000006
【図５】
2014025854.tif 000007
【図６】
2014025854.tif 000008
【図７】
2014025854.tif 000009
【図８】
2014025854.tif 000010
【図９】
2014025854.tif 000011